【事件の表示】
　特願２００９−５２２０１５「患者監視システム、患者識別装置及び測定方法」拒絶査定不服審判事件〔平成２０年　１月３１日国際公開、ＷＯ２００８／０１４４３２、平成２１年１２月１７日国内公表、特表２００９−５４４４３１〕について、次のとおり審決する。
【結　論】
　本件審判の請求は、成り立たない。
【理　由】
第１　手続の経緯
　本願は、平成１９年７月２７日（パリ条約による優先権主張外国庁受理平成１８年７月２８日、米国（ＵＳ）、パリ条約による優先権主張外国庁受理平成１８年９月２９日、米国（ＵＳ））を国際出願日とする特願２００９−５２２０１５号の出願であって、平成２４年１２月５日付けで拒絶理由が通知され、平成２５年３月５日に意見書及び手続補正書が提出されたが、同年１０月２３日付けで拒絶査定がなされ、これに対して平成２６年２月２７日に拒絶査定不服審判の請求がなされ、同時に手続補正がなされた。
　その後、当審において、平成２７年４月１５日付けで平成２６年２月２７日付けの手続補正に対する補正却下の決定がなされ、同日付けで、平成２５年３月５日付けの手続補正に対して拒絶理由を通知したところ、これに対して平成２７年７月１７日に意見書及び誤訳訂正書が提出されたものである。
　
第２　当審拒絶理由の概要
　当審において平成２７年４月１５日付けで通知した拒絶理由の概要は、平成２５年３月５日付けの手続補正により補正された特許請求の範囲の請求項１に係る発明に対する理由を含むものであって、請求項１に係る発明は、本願の優先権主張の日前に電気通信回線を通じて公衆に利用可能となった「国際公開第２００６／０６４３９７号」に記載された発明に基いて当業者が容易に発明をすることができたものであるから、特許法第２９条第２項の規定により特許を受けることができない、というものである。
第３　本願発明について
　本願の請求項１ないし１１に係る発明は、平成２７年７月１７日付けの誤訳訂正により補正された特許請求の範囲の請求項１ないし１１に記載された事項により特定されるものであるところ、そのうち請求項１に係る発明（以下、「本願発明」という。）は、以下のとおりのものと認める。
「患者の健康関連パラメータを監視する患者監視システムであって、
　測定装置であって、
　　前記患者の前記健康関連パラメータの測定値を取得する測定ユニットと、
　　少なくとも測定値を送出する第１の人体結合通信装置とを含む、測定装置と、
　前記患者が身につける識別装置であって、
　　前記測定値を受信し、送出する第２の人体結合通信装置と、
　　前記第２の人体結合通信装置により受信される前記第１の人体結合通信装置からの測定値を保存する測定メモリと、
　　患者の患者識別コードを保存する患者識別コードメモリとを含む、識別装置と、
　患者の測定値を受信する第３の人体結合通信装置を含むゲートウェイ装置とを有し、
　前記測定装置、前記識別装置、及び前記ゲートウェイ装置の前記第１の人体結合通信装置、前記第２の人体結合通信装置、及び前記第３の人体結合通信装置は、静電容量結合に基づいた短距離人体通信を使用して前記測定値を通信し、
　前記識別装置は、前記患者が前記ゲートウェイ装置に近接又は接触するとき、前記患者識別コードメモリから前記患者識別コードを引き出し、該患者識別コードを前記測定メモリに保存した前記測定値とともにゲートウェイ装置に送信する、患者監視システム。」
　
第４　引用例の記載事項及び引用例に記載された発明
１　引用例に記載の事項
　当審の拒絶の理由に引用され、本願の優先権主張の日前に電気通信回線を通じて公衆に利用可能となった「国際公開第２００６／０６４３９７号」（以下、「引用例」という。ただし、日本語訳を記載する。そして特表２００８−５２２７０３号公報を訳文として用いる。）には、次の事項（下線は当審において付加したものである。）が記載されている。
（摘記事項１）
「【請求項１】
  
患者を監視する無線ネットワークであって
    前記患者の生理機能に関するデータを感知し、かつ通信するため前記患者に結合される生理状態センサ、及び
    近距離身体容量結合プロトコルを用いて前記患者越しに通信するため前記生理状態センサと相互作用する第１の身体通信ユニットを含む、少なくとも１つのウェアラブルモニタと、
    前記近距離身体容量結合プロトコルを用いて前記第１の身体通信ユニットからデータを受信し、該第１の身体通信ユニットと通信する第２の身体通信ユニット、及び
    前記データをリモートの医療監視端末に通信する外部通信ユニットを含む、中継システムとを有する、無線ネットワーク。
・・・
【請求項３】
  前記少なくとも１つのウェアラブルモニタが、
  前記感知される生理状態が所定の閾値の外側にあるかを検出する前記生理状態センサと相互作用し、前記第１の通信ユニットにアラーム信号を送出させるアラームセンサを更に含む、請求項１に記載の
システム
・・・
【請求項８】
  前記生理状態センサが、心拍、パルス酸素濃度計、呼吸数、血圧、温度及び心電活動のいずれかである、請求項１に記載のシステム。」
（摘記事項２）
「【００１８】
　患者１０は、例えば、ウェアラブル心電計(ECG)モニタ(WCM)１２といった１つ又は複数のウェアラブルモニタと、ウェアラブルモニタ１２により生成されたアラームを外部端末にフォワードするのに利用されるモバイルアラーム中継システム(MAR)１４(例えば、携帯電話、PDA又は無線ネットワークに接続する他のデバイス)とを装備する。ウェアラブルモニタ１２は、患者１０に関連するいずれかの生理機能を監視するのに使用されることができることを理解されたい。ウェアラブルモニタ１２とモバイルアラーム中継システム１４とは共に、身体通信ユニット(BCU)１６、１８を具備する。BCU１６、１８は、近距離体結合通信技術を用いて容量結合に基づき通信を行う。
　【００１９】
　ウェアラブルモニタ１２は、比較的小さなバッテリ２０により電力供給がされることができるよう、より電力効率がよく、低エネルギー消費技術を利用するよう構成される。
モニタは、例えば、携帯電話ネットワークと通信する携帯電話２４の送信／受信部といった外部接続デバイス２２を介してリモート監視端末に対し監視された生理状態を通信する。外部接続デバイス２２は、ウェアラブルモニタ１２によりアラーム状態が感知されたかを決定するアラーム認識要素２６を含む。連続的な取得のためにアラーム前後で監視出力を格納するためのメモリ２８が、アラーム認識要素２６により使用される。メモリ２８は、患者１０の特定の生理的機能に関連する、ウェアラブルモニタ１２により送信される追加的なデータを格納することができる。接続要素３０は、モバイル中継部１４を携帯電話２４に接続する。
　【００２０】
　より重いもの、特により大きなバッテリ３２を運ぶことができるよう、モバイル中継部１４は、好ましくは、体の一部と接触し又はその近傍で、例えば衣服のポケットに入れられ、又は腕の周りに巻かれて運ばれるように設計される。好ましい実施形態において、モバイルアラーム中継システム１４は、BCU及び他の回路を含むよう修正され、適切にプログラムされた携帯電話のハンドセットである。
　【００２１】
　まず、BCU１６、１８は、身体結合通信を介して関連付けられる。通信のこの段階で、安全性が設定されることができ、共有認証鍵が通信要素間で交換されることができる。BCU１６、１８の初期化が完了した後、BCU１６、１８間の接続が確立され、通信が開始されることができる。一旦通信が開始されると、通信がアクティブのままであることを確実にするために、BCU１６、１８間の通信の確認が監視される。通信が非アクティブである場合、斯かる通信障害をシステムに知らせるためアラームがトリガーされることができる。
　【００２２】
　ウェアラブルモニタBCU１６は、心電計(ECG)センサ３４又は他のセンサから生理情報を受信する。オプションで、アラームメッセージが発せられることをモニタの出力が要求しているか否かをアラームセンサ３６が決定する。アラームメッセージは、ウェアラブルモニタBCU１６を介してモバイルアラーム中継システム１４に更なる中継のため通信される。また、すべての監視データは送信されることができ、中継部１４のアラーム認識回路２６は、アラーム信号よりむしろアラーム状態を認識することができる。好ましい携帯電話の実施形態において、アラーム信号は、緊急を知らせるため携帯電話が事前に選択された電話番号にダイアルすることをもたらす。好ましくは、携帯電話は、医療専門家又は受信端末側における緊急指令係に、厳密な患者の位置を通信するGPSシステム３８を含む。
　【００２３】
　更に、リモート受信端末が斯かる特定されたデータに基づき行動計画を決定することができるよう、ECGデータが、アラーム信号と共にモバイルアラーム中継システム１４に送信されることができる。例えば、患者のパルスがアラーム閾値を超える場合、患者１０に対するケアを管理するとき行われる適切な行動を決定するのに、ケア提供者が斯かるパルスデータを使用することができる。別の実施形態においては、患者１０の過去の状態を決定するようデータが傾向化されるべく、そのデータはモバイルアラーム中継システム１４又はウェアラブルモニタ１２におけるメモリ２８に格納される。更に別の実施形態においては、解析のためメモリ２８からリモートプロセッサに定期的な間隔でデータがダウンロードされることができる。
　【００２４】
　図２は、図１に示されるウェアラブルモニタ１２とモバイルアラーム中継システム１４との間の通信プロトコルを説明する。ウェアラブルモニタ１２とモバイルアラーム中継システム１４との間の通信を容易にするのに、身体結合通信プロトコルが使用される。一旦ウェアラブルモニタ１２がネットワークに導入されると(例えば患者に付けられると)、ウェアラブルモニタ１２からモバイルアラーム中継システム１４に発見信号を送信することにより、ウェアラブルモニタ１２の発見が実現される。モバイルアラーム中継システム１４により応答信号がウェアラブルモニタ１２に返信される。ウェアラブルモニタ１２とモバイルアラーム中継システム１４との間で共有認証鍵を交換することにより、安全性が設定されることができる。ウェアラブルモニタ１２からモバイルアラーム中継システム１４に対して認証要求が通信され、モバイルアラーム中継システム１４からウェアラブルモニタ１２に認証鍵が返信される。ウェアラブルモニタ１２からモバイルアラーム中継システム１４に対して関連付け信号が送信され、モバイルアラーム中継システム１４が、ウェアラブルモニタ１２とモバイルアラーム中継システム１４との間のネットワーク上での接続の確立を確認する確認信号を返信する。
　【００２５】
　一旦通信が確立されると、ウェアラブルモニタ１２からモバイルアラーム中継システム１４へ様々なタイミングで検証信号が送信される。検証信号が受信されると、モバイルアラーム中継システム１４は、ウェアラブルモニタ１２とネットワークとの間の通信がアクティブであることを示す確認信号を返信する。ウェアラブルモニタ１２によりアラームが検出される場合、ウェアラブルモニタ１２からモバイルアラーム中継システム１４へアラーム信号が送信される。ある実施形態においては、アラームに関連する特定の情報を提供するデータがアラーム信号と共に送信される。外部アラームをトリガーするため、アラーム信号は更に、モバイルアラーム中継システム１４からリモート受信要素(例えば、中継器)へ送信される。複数のモバイルモニタがあるとき、モバイルアラーム中継システム１４との通信をそれぞれ確立するために同様なプロトコルが使用される。」
（摘記事項３）
「【００２６】
　図３において、
患者１０は
ウェアラブルモニタ１２と識別及び中継要素(IRC)５０とを具備する
ウェアラブルモニタ１２と中継部５０とはそれぞれ身体通信ユニット(BCU)１６、５２を具備する
BCU１６、５２は、患者の体の容量結合に基づかれる双方向近距離身体結合通信技術を用いて通信する
アラームセンサ３６からウェアラブルモニタBCU１６を介してIRC５０にアラームメッセージが送信される
【００２７】
　心臓の近くに位置するウェアラブルモニタ１２に比べると、IRC５０は、減衰のリスクのない体の部分(例えば、腕又は脚)に配置されることができる。
IRC５０は、固有の患者識別を与える識別(ID)要素５４を含む
更に、RFシステム５８を介して
携帯電話６０であるモバイルアラーム中継システムに対し、
Bluetooth又は他の近距離低電力送信システムを用いて通信するため情報を送信するRFシステム５６を含む
【００２８】
　
アラーム認識要素２６は、アラームがウェアラブルモニタ１２により送信されたかを決定する
連続的な取得のためにアラームを格納するためのメモリ２８が、アラーム認識要素２６により使用される
メモリ２８は、ウェアラブルモニタ１２により送信される患者１０の特定の生理機能に関する追加的なデータを格納することができる
（摘記事項４）
「【００２９】
　図４は、図３におけるウェアラブルモニタ１２と、中継部５０と、モバイルアラーム中継システム、つまり携帯電話６０との間のメッセージフローを示す。ウェアラブルモニタ１２と中継部５０との間の通信は、身体結合通信技術を介して容易にされる。中継部５０とモバイルアラーム中継システム、つまり携帯電話３８との間の通信は、無線(RF)技術を介して実現される。最初に、ウェアラブルモニタ１２のBCU１６、５２及び中継部５０が、身体結合通信ネットワークにより発見される。ウェアラブルモニタ１２から中継部５０へ発見信号が送信され、中継部５０は、ウェアラブルモニタ１２に応答信号を返信する。次に、ウェアラブルモニタ１２と中継部５０との間で共有認証鍵を交換することにより安全性が確立される。ウェアラブルモニタ１２は、認証要求を中継部５０に送信し、中継部５０は、認証鍵をウェアラブルモニタ１２に返信する。最後に、ウェアラブルモニタ１２のBCU１６、５２と中継部５０との間の接続が身体結合通信ネットワークを介して確立される。ウェアラブルモニタ１２から中継部５０へ関連付け信号が送信される。通信が確立されたことを確認するため、中継部５０はウェアラブルモニタ１２に確認信号を返信する。更に、中継部５０が携帯電話６０に接続信号を送信した後、中継部５０と携帯電話６０との間のRF接続が確立される。
【００３０】
　ウェアラブルモニタ１２、中継部５０及び携帯電話６０(モバイルアラーム中継システム)間の接続が監視され、確認される。ウェアラブルモニタ１２は検証信号を中継部５０に送信し、別の検証信号が、中継部５０から携帯電話６０又は他のモバイルアラーム中継システムに送信される。携帯電話６０は、中継部５０に確認信号を送信することにより応答する。確認信号は、中継部５０からウェアラブルモニタ１２にも送信される。このやり方だと、通信障害が発生する場合、ネットワークは通知を受ける。一旦ウェアラブルモニタ１２、中継部５０及び携帯電話６０の間で通信が確立されると、安全性が実現され、信号の送信及び受信が確認される。
【００３１】
　
ウェアラブルモニタ１２がアラームを検出すると、ECGアラーム信号がウェアラブルモニタ１２から中継部５０に送信される
その後、アラーム信号とアラーム識別信号とが中継部５０から携帯電話６０
に送信される
（摘記事項５）図３
２　引用例に記載された発明
（１）上記摘記事項３の記載及び摘記事項５の図３を踏まえると、ウェアラブルモニタ１２は、心電計(ECG)センサ３４とアラームセンサ３６を含み、また、識別及び中継要素(IRC)５０は、アラーム認識要素２６とメモリ２８を含んでいるといえる。
（２）上記摘記事項３の記載及び摘記事項１の【請求項８】の記載を踏まえると、心電計(ECG)センサ３４は、心電活動に関するデータを検出するものであるといえる。
（３）上記摘記事項３の記載及び摘記事項１の【請求項３】の記載を踏まえると、アラームセンサ３６は、心電計(ECG)センサ３４により検出された心電活動に関するデータに基づいてアラームを生成するものであるといえる。
（４）上記（２）及び（３）を踏まえると、摘記事項１の【請求項１】に記載の患者を監視する無線ネットワークは、患者の心電活動を監視する無線ネットワークを含むものといえる。
（５）以上のことから、上記摘記事項１〜５を総合すると、引用例には、つぎの発明が記載されていると認められる。
　「患者の心電活動を監視する無線ネットワークシステムであって、
　患者１０はウェアラブルモニタ１２と識別及び中継要素(IRC)５０とを具備し、ウェアラブルモニタ１２と中継部５０とはそれぞれ身体通信ユニット(BCU)１６、５２を具備し、BCU１６、５２は、患者の体の容量結合に基づかれる双方向近距離身体結合通信技術を用いて通信し、
　ウェアラブルモニタ１２は、心電計(ECG)センサ３４とアラームセンサ３６を含み、
　心電計(ECG)センサ３４は、心電活動に関するデータを検出し、アラームセンサ３６は、心電計(ECG)センサ３４により検出された心電活動に関するデータに基づいてアラームを生成し、アラームセンサ３６からウェアラブルモニタBCU１６を介してIRC５０にアラームが送信され、
　IRC５０は、固有の患者識別を与える識別(ID)要素５４、アラーム認識要素２６とメモリ２８を含み、更に、RFシステム５８を介して携帯電話６０であるモバイルアラーム中継システムに対し、Bluetooth又は他の近距離低電力送信システムを用いて通信するため情報を送信するRFシステム５６を含み、
　アラーム認識要素２６は、アラームがウェアラブルモニタ１２により送信されたかを決定し、連続的な取得のためにアラームを格納するためのメモリ２８が、アラーム認識要素２６により使用され、メモリ２８は、ウェアラブルモニタ１２により送信される患者１０の特定の生理機能に関する追加的なデータを格納することができ、
　ウェアラブルモニタ１２がアラームを検出すると、ECGアラーム信号がウェアラブルモニタ１２から中継部５０に送信され、その後、アラーム信号とアラーム識別信号とが中継部５０から携帯電話６０に送信される、無線ネットワークシステム。」（以下、「引用発明」という。）
第５　本願発明と引用発明との対比
（対比１）　
（１）引用発明の「心電活動」は、本願発明の「健康関連パラメータ」に相当する。
（２）上記（１）を踏まえると、引用発明の「患者の心電活動を監視する無線ネットワークシステム」は、本願発明の「患者の健康関連パラメータを監視する患者監視システム」に相当する。
（対比２）　
（１）引用発明の「ウェアラブルモニタ１２」は、本願発明の「測定装置」に相当する。
（２）引用発明の「アラーム」は、測定値である「心電活動に関するデータに基づいて」「生成」されたものであるから、引用発明の「アラーム」と本願発明の「測定値」とは、「測定情報」という点で共通する。
（３）上記（１）及び（２）を踏まえると、
　引用発明の
「ウェアラブルモニタ１２」であって、
　「患者１０の」「心電活動に関するデータを検出」する「心電計(ECG)センサ３４」と、「検出された心電活動に関するデータに基づいてアラームを生成」する「アラームセンサ３６」と、
　「アラーム」を「送信」する「身体通信ユニット(BCU)１６」とを含む、「ウェアラブルモニタ１２」と、
　本願発明の
「測定装置であって、
　　前記患者の前記健康関連パラメータの測定値を取得する測定ユニットと、
　　少なくとも測定値を送出する第１の人体結合通信装置とを含む、測定装置」とは、
「測定装置であって、
　　前記患者の前記健康関連パラメータの測定情報を取得する測定ユニットと、
　　少なくとも測定情報を送出する第１の人体結合通信装置とを含む、測定装置」という点で共通する。
（対比３）
（１）引用発明の「患者１０」が「具備」する「識別及び中継要素(IRC)５０」は、本願発明の「患者が身につける識別装置」に相当する。　
（２）引用発明の「固有の患者識別を与える識別(ID)要素５４」は、患者固有の識別(ID)であるコードを保存するものであるから、本願発明の「患者の患者識別コードを保存する患者識別コードメモリ」に相当する。
（３）上記（１）及び（２）を踏まえると、
　引用発明の
「患者１０」が「具備」する「識別及び中継要素(IRC)５０」であって、
　「アラーム」を受信する「身体通信ユニット(BCU)５２」と、「アラーム」を「送信するRFシステム５６」と、
　「身体通信ユニット(BCU)５２」により受信される「身体通信ユニット(BCU)１６」「により送信された」「アラームを格納する」「メモリ２８」と、
　「固有の患者識別を与える識別(ID)要素５４」とを含む、「識別及び中継要素(IRC)５０」と、
　本願発明の
「前記患者が身につける識別装置であって、
　　前記測定値を受信し、送出する第２の人体結合通信装置と、
　　前記第２の人体結合通信装置により受信される前記第１の人体結合通信装置からの測定値を保存する測定メモリと、
　　患者の患者識別コードを保存する患者識別コードメモリとを含む、識別装置」とは、
「前記患者が身につける識別装置であって、
　前記測定情報を受信する第２の人体結合通信装置と、前記測定情報を送出する第1の無線通信装置と、
　　前記第２の人体結合通信装置により受信される前記第１の人体結合通信装置からの測定情報を保存する測定メモリと、
　　患者の患者識別コードを保存する患者識別コードメモリとを含む、識別装置」という点で共通する。
（対比４）
（１）引用発明の「携帯電話６０」は、「モバイルアラーム中継システム」であるから、本願発明の「ゲートウェイ装置」に相当する。
（２）上記（１）を踏まえると、
　引用発明の
「患者の」「アラーム」を受信する「RFシステム５８を」含む「携帯電話６０」と、
　本願発明の
「患者の測定値を受信する第３の人体結合通信装置を含むゲートウェイ装置」とは、
「患者の測定情報を受信する第２の無線通信装置を含むゲートウェイ装置」という点で共通する。
（対比５）
　引用発明の
　「ウェアラブルモニタ１２」及び「識別及び中継要素(IRC)５０」の「身体通信ユニット(BCU)１６」及び「身体通信ユニット(BCU)５２」は、「患者の体の容量結合に基づかれる双方向近距離身体結合通信技術を用いて」「アラームを」「通信し」、
　「識別及び中継要素(IRC)５０」及び「携帯電話６０」の「第１の無線通信装置置」及び「第２の無線通信装置」は、「Bluetooth又は他の近距離低電力送信システムを用いて」「アラームを」「通信し」ていることと、
  本願発明の
　「前記測定装置、前記識別装置、及び前記ゲートウェイ装置の前記第１の人体結合通信装置、前記第２の人体結合通信装置置、及び前記第３の人体結合通信装置は、静電容量結合に基づいた短距離人体通信を使用して前記測定値を通信し」ていることとは、
　「前記測定装置及び前記識別装置の前記第１の人体結合通信装置及び前記第２の人体結合通信装置は、静電容量結合に基づいた短距離人体通信を使用して前記測定情報を通信し、
　前記識別装置及び前記ゲートウェイ装置の前記第１の無線通信装置置及び前記第２の無線通信装置は、短距離通信を使用して前記測定情報を通信し」ている点で共通する。
（対比６）
（１）引用発明は、
　「識別及び中継要素(IRC)５０」及び「携帯電話６０」の「第１の無線通信装置」及び「第２の無線通信装置」は、「Bluetooth又は他の近距離低電力送信システムを用いて」「アラームを」「通信」するので、「患者１０」が「具備」する「識別及び中継要素(IRC)５０」は、「患者１０」が「携帯電話６０」に通信可能な距離範囲まで近接又は接触するとき、「アラーム」を「携帯電話６０に送信」するものである。
（２）上記（１）を踏まえると、引用発明の
　「識別及び中継要素(IRC)５０」は、「患者」が「携帯電話６０」に近接又は接触するとき、「識別(ID)要素５４」から「アラーム識別信号」を引き出し、「アラーム識別信号」を「メモリ２８」に「格納」した「アラーム信号」ともに「携帯電話６０に送信」することと、
　本願発明の
　「前記識別装置は、前記患者が前記ゲートウェイ装置に近接又は接触するとき、前記患者識別コードメモリから前記患者識別コードを引き出し、該患者識別コードを前記測定メモリに保存した前記測定値とともにゲートウェイ装置に送信する」こととは、
　「前記識別装置は、前記患者が前記ゲートウェイ装置に近接又は接触するとき、前記患者識別コードメモリから前記患者識別コードを引き出し、該患者識別コードを前記測定メモリに保存した前記測定情報とともにゲートウェイ装置に送信する」という点で共通する。
第６　本願発明と引用発明の一致点
　してみると、本願発明と引用発明は、つぎの点で一致する。
（一致点）
「患者の健康関連パラメータを監視する患者監視システムであって、
測定装置であって、
　前記患者の前記健康関連パラメータの測定情報を取得する測定ユニットと、
　少なくとも測定情報を送出する第１の人体結合通信装置とを含む、測定装置と、
前記患者が身につける識別装置であって、
　前記測定情報を受信する第２の人体結合通信装置と、
　前記測定情報を送出する第1の無線通信装置と、
　前記第２の人体結合通信装置により受信される前記第１の人体結合通信装置からの測定情報を保存する測定メモリと、
　患者の患者識別コードを保存する患者識別コードメモリとを含む、識別装置と、
患者の測定情報を受信する第２の無線通信装置を含むゲートウェイ装置とを有し、
　前記測定装置及び前記識別装置の前記第１の人体結合通信装置及び前記第２の人体結合通信装置は、静電容量結合に基づいた短距離人体通信を使用して前記測定情報を通信し、
　前記識別装置及び前記ゲートウェイ装置の前記第１の無線通信装置置及び前記第２の無線通信装置は、短距離通信を使用して前記測定情報を通信し、
　前記識別装置は、前記患者が前記ゲートウェイ装置に近接又は接触するとき、前記患者識別コードメモリから前記患者識別コードを引き出し、該患者識別コードを前記測定メモリに保存した前記測定情報とともにゲートウェイ装置に送信する、患者監視システム。」
第７　本願発明と引用発明の相違点
　また、本願発明と引用発明は、つぎの点で相違する。
（相違点１）
　患者の健康関連パラメータの測定情報について、測定ユニットで取得する前記測定情報、測定ユニットから識別装置を中継してゲートウェイ装置に送信する前記測定情報、及び、識別装置の測定メモリで保存する前記測定情報が、いずれも
　本願発明では、「測定値」であるのに対し、
　引用発明では、アラームである点。
（相違点２）
　識別装置が測定情報を送出する第1の無線通信装置、ゲートウェイ装置が前記測定情報を受信する第２の無線通信装置を含み、前記第1の無線通信装置及び前記第２の無線通信装置は、短距離通信を使用して前記測定情報を通信している点について、
　本願発明では、識別装置が第２の人体結合通信装置、ゲートウェイ装置が第３の人体結合通信装置を含み、前記第２の人体結合通信装置及び前記第３の人体結合通信装置は、静電容量結合に基づいた人体通信を使用して通信しているのに対し、
　引用発明では、識別装置がRFシステム５６、ゲートウェイ装置がRFシステム５８を含み、前記RFシステム５６及び前記RFシステム５８は、Bluetooth又は他の近距離低電力送信システムを使用して通信している点。
第８　当審の判断
　上記相違点について検討する。
１　相違点１について
　引用例（特に、摘記事項２の段落【００２３】、図１、２を参照。）には、患者の心電活動を監視する無線ネットワークシステムにおいて、心電計(ECG)センサが検出したＥＣＧデータを、アラームと共に中継システムに送信することができ、ケア提供者は患者の適切な行動を決定するために前記ＥＣＧデータを使用することができること、及び、前記ＥＣＧデータを中継システムなどのメモリに格納することが記載されている。
　そして、引用発明においても、「心電計(ECG)センサ３４は、心電活動に関するデータを検出し」ており、識別装置の「メモリ２８は、ウェアラブルモニタ１２により送信される患者の特定の生理機能に関する追加的なデータを格納することができ」ることからして、上記引用例の記載事項を踏まえると、引用発明において、患者の健康関連パラメータの測定情報について、測定ユニットで取得する前記測定情報、測定ユニットから識別装置を中継してゲートウェイ装置に送信する前記測定情報、及び、識別装置の測定メモリで保存する前記測定情報として、いずれもアラームと共に「測定値」であるＥＣＧデータを採用し、上記相違点１に係る本願発明の発明特定事項のように構成とすることは、当業者が容易に想到し得ることである。
２　相違点２について
　引用例（特に、摘記事項２、図１、２を参照。）には、患者の心電活動を監視する無線ネットワークシステムにおいて、携帯電話が測定情報を受信する人体結合通信装置を含み、前記人体結合通信装置は、静電容量結合に基づいた短距離人体通信を使用して通信することが記載されている。
　そして、引用発明は、測定ユニットから識別装置への通信に、静電容量結合に基づいた短距離人体通信を使用し、識別装置からゲートウェイ装置への通信には、何らかの近距離低電力送信システムを使用するものであるから、上記引用例の記載事項や上記引用発明の測定ユニットから識別装置への通信手法を踏まえると、引用発明において、識別装置からゲートウェイ装置である携帯電話への通信に、何らかの近距離低電力送信システムとして、静電容量結合に基づいた短距離人体通信を採用し、上記相違点２に係る本願発明の発明特定事項のように具体的に構成とすることは、当業者が容易に想到し得ることである。
３　本願発明の奏する作用効果
　そして、本願発明によってもたらされる作用効果は、引用例に記載された事項から当業者が予測し得る程度のものである。
４　まとめ
　してみると、本願発明は、引用発明に基いて当業者が容易に発明をすることができたものであるから、特許法第２９条第２項の規定により特許を受けることができない。
　
第９　むすび
　以上のとおり、本願発明は、特許法第２９条第２項の規定により特許を受けることができない。
　したがって、その余の請求項に係る発明について論及するまでもなく、本願は拒絶すべきものである。
　よって、結論のとおり審決する。